(57)【要約】【課題】部品点数の増加の抑制および音質の悪化の抑制を図りつつ、壁面から音声を発することが可能な表示装置を提供する。【解決手段】この薄型テレビ１００（表示装置）は、映像が表示される表示部１と、電気を加えることにより振動を生じさせる超磁歪素子３０（振動素子）とを備え、超磁歪素子３０は、表示部１が取り付けられる壁面２００との接触面３９に対して固定的に設置され、超磁歪素子３０を振動させることにより壁面２００を振動させて音声を発するように構成されている。【選択図】図３
2009164822.tif 000002
【特許請求の範囲】
【請求項１】
映像が表示される表示部と、
電気を加えることにより振動を生じさせる振動素子とを備え、
前記振動素子は、前記表示部が取り付けられる壁面との接触面に対して固定的に設置され、前記振動素子を振動させることにより前記壁面を振動させて音声を発するように構成されている、表示装置。
【請求項２】
前記振動素子を前記壁面に対して固定するための固定部をさらに備え、
前記振動素子は、前記固定部により前記壁面との接触面に押圧された状態で固定されている、請求項１に記載の表示装置。
【請求項３】
前記振動素子は、超磁歪素子である、請求項１または２に記載の表示装置。
【請求項４】
前記壁面と垂直な方向に前記超磁歪素子を挟み込むように複数個設けられた磁石をさらに備え、
前記壁面との接触面側と反対側に設けられた前記磁石は、前記固定部によって前記壁面の方向に押圧されている、請求項３に記載の表示装置。
【請求項５】
前記壁面と垂直な方向に前記超磁歪素子を挟み込むように複数個設けられた磁石と、
前記超磁歪素子の振動を前記壁面に伝達する振動板とをさらに備え、
前記壁面との接触面側に設けられた前記磁石は、前記振動板に直接面接触するように配置されている、請求項に３または４に記載の表示装置。
【請求項６】
前記表示部を支持するとともに、前記壁面に固定される取付部と、
前記取付部を前記壁面に固定する固定部材とをさらに備え、
前記振動素子は、前記取付部の前記壁面との接触面に取り付けられており、かつ、前記取付部の上部は、前記固定部材により前記壁面と密着されるように固定されている、請求項１〜５のいずれか１項に記載の表示装置。
【請求項７】
前記表示部を前記壁面に固定する固定部材をさらに備え、
前記振動素子は、前記表示部の前記壁面との接触面に取り付けられており、かつ、前記固定部材は、前記表示部と一体的に設けられている、請求項１〜５のいずれか１項に記載の表示装置。
【請求項８】
前記振動素子の振動を前記壁面に伝達する振動板をさらに備え、
前記振動素子の前記振動板は、前記壁面との接触面の一部として設けられている、請求項１〜７のいずれか１項に記載の表示装置。
【請求項９】
前記振動素子は、前記壁面との接触面において複数設けられている、請求項１〜８のいずれか１項に記載の表示装置。
【発明の詳細な説明】
【技術分野】
【０００１】
この発明は、表示装置に関し、特に、音声出力機能を備える表示装置に関する。
【背景技術】
【０００２】
従来、音声出力機能を備える表示装置などが知られている（たとえば、特許文献１〜４参照）。
【０００３】
上記特許文献１には、映像表示装置（表示部）を床上に載置するためのスタンドとしての機能を有するとともに、脚部に超磁歪素子（振動素子）を有する超磁歪アクチュエータを備える、スピーカ装置が開示されている。このスピーカ装置では、スピーカ装置の上部に取り付けられた映像表示装置の重量により、超磁歪アクチュエータ内の超磁歪素子の変位が床側に集中的に伝達されるので、スピーカ装置の接している床が振動し、床から音声が発せられる。
【０００４】
また、上記特許文献２には、画像を透過するミラー板と、ミラー板の一方に接するように設けられたテレビ画像表示部（表示部）と、ムービングコイル（振動素子）を有し、テレビ画像表示部が設けられた面と同一面に別途設けられたスピーカユニットとを備える、テレビ画像表示装置が開示されている。このテレビ画像表示装置では、スピーカユニットのムービングコイルを振動させることにより、スピーカユニットの接しているミラー板が振動し、ミラー板から音声が発せられるとともに、浴室内などにおいてテレビ画像表示部に表示された画像をミラー板の他方側から鑑賞できる。
【０００５】
また、上記特許文献３には、透明基盤（表示部）と、透明基盤に固定され振動を透明基盤に伝達する励振部材と、透明基盤と励振部材とに挟み込まれるように励振部材に固定的に支持された振動素子とを備える、表示装置が開示されている。この表示装置では、振動素子の振動が透明基盤と励振部材とに伝達されることにより、透明基盤が振動し、透明基盤から音声が発せられる。
【０００６】
また、上記特許文献４には、振動体（振動素子）と、振動体の一方側に接し、振動体の振動を伝達する振動板と、振動体の他方側に接し、振動体の振動を振動板側に集中して伝達する、振動体と比べて質量が十分大きいカウンタマスとを備える、音声出力装置が開示されている。この音声出力装置では、カウンタマスが、振動体が変位する力に対し十分に大きな慣性力を発揮することにより、振動体の振動が振動板側に集中して伝達されるので、振動板の接している面が振動し、振動板の接している面から音声が発せられる。
【０００７】
【特許文献１】特開２００７−１５８７５２号公報
【特許文献２】特開２００４−２２２２０５号公報
【特許文献３】特開２００４−３５０１５６号公報
【特許文献４】特開２００４−２６６３０７号公報
【発明の開示】
【発明が解決しようとする課題】
【０００８】
しかしながら、上記特許文献１に記載のスピーカ装置では、スピーカ装置の上部に取り付けられた映像表示装置の重量を利用する必要があり、たとえば、映像表示装置を壁面に取り付ける場合には、映像表示装置の重量を十分に利用することができないという不都合がある。この場合には、超磁歪アクチュエータ内の超磁歪素子の変位を有効に壁面に伝達できないため、壁面を十分に振動させて音声を発生させることができない。その結果、映像表示装置を壁面に取り付ける場合には、音質が悪化するという問題点が考えられる。
【０００９】
また、上記特許文献２に記載のテレビ画像表示装置では、浴室内などにおいて画像を鑑賞できるように設けられるために、テレビ画像表示部およびスピーカユニットに加えて、ミラー板が別途必要であるため、その分部品点数が増加するという問題点がある。
【００１０】
また、上記特許文献３に記載の表示装置では、振動素子の振動が透明基盤と励振部材との双方に伝達されることにより、励振部材に伝達された後に透明基盤に伝達される振動は、透明基盤に伝達される振動よりも遅く伝達される。そのため、２つの振動が干渉することにより、音質が悪化するという問題点が考えられる。
【００１１】
また、上記特許文献４に記載の音声出力装置では、振動体の振動を振動板側に集中して伝達するために、カウンタマスが別途必要であるため、部品点数が増加するという問題点がある。
【００１２】
この発明は、上記のような課題を解決するためになされたものであり、この発明の１つの目的は、部品点数の増加の抑制および音質の悪化の抑制を図りつつ、壁面から音声を発することが可能な表示装置を提供することである。
【課題を解決するための手段および発明の効果】
【００１３】
この発明の一の局面による表示装置は、映像が表示される表示部と、電気を加えることにより振動を生じさせる振動素子とを備え、振動素子は、表示部が取り付けられる壁面との接触面に対して固定的に設置され、振動素子を振動させることにより壁面を振動させて音声を発するように構成されている。
【００１４】
この一の局面による表示装置では、上記のように、振動素子を、表示部が取り付けられる壁面との接触面に対して固定的に設置することによって、振動素子の振動を壁面に伝達することができるので、壁面を振動させて壁面から音声を発することができる。また、振動素子を、表示部が取り付けられる壁面との接触面に対して固定的に設置することによって、表示部などの重量を利用することなく振動素子の振動を有効に壁面に伝達することができる。これにより、壁面を十分に振動させて音声を発生させることができるので、音質の悪化を抑制することができる。また、振動素子を、表示部が取り付けられる壁面との接触面に対して固定的に設置することによって、振動素子の振動は表示部が取り付けられる壁面との接触面にのみ実質的に伝達されることにより、振動の干渉は発生しないので、音質の悪化を抑制することができる。また、振動素子を、表示部が取り付けられる壁面との接触面に対して固定的に設置することによって、カウンタマスやミラー板などを別途設ける必要がないので、部品点数の増加を抑制することができる。なお、「電気を加える」には、直接的に電気を加える場合だけではなく、電気を他の部材などに加えることにより、間接的にその影響を与える場合も含まれる。
【００１５】
上記一の局面による表示装置において、好ましくは、振動素子を壁面に対して固定するための固定部をさらに備え、振動素子は、固定部により壁面との接触面に押圧された状態で固定されている。このように構成すれば、振動素子を確実に表示部が取り付けられる壁面との接触面に固定することができるので、振動素子の振動が確実に壁面に伝達される。これにより、壁面からの音声の音質を向上させることができる。
【００１６】
上記一の局面による表示装置において、好ましくは、振動素子は、超磁歪素子である。このように構成すれば、超磁歪素子は、磁界を与えられると寸法が１０００ｐｐｍ以上高速で変化する性質を有していることにより、超磁歪素子を振動させると、広い面積を有する壁面を効果的に振動させることができるので、壁面からの音声の音質をより向上させることができる。
【００１７】
この場合、好ましくは、壁面と垂直な方向に超磁歪素子を挟み込むように複数個設けられた磁石をさらに備え、壁面との接触面側と反対側に設けられた磁石は、固定部によって壁面の方向に押圧されている。このように構成すれば、磁石に壁面と垂直な方向の磁界を生じさせることができるので、超磁歪素子にバイアス磁界を与えることができる。これにより、音声情報であるパルス電流に対応した振動を、より正確に、超磁歪素子に起こさせることができるので、壁面からの音声の音質をより向上させることができる。また、磁石を固定部によって壁面の方向に押圧することにより、磁石を超磁歪素子により接近させることができるので、確実に、超磁歪素子にバイアス磁界を与えることができる。
【００１８】
上記振動素子が超磁歪素子である表示装置において、好ましくは、壁面と垂直な方向に超磁歪素子を挟み込むように複数個設けられた磁石と、超磁歪素子の振動を壁面に伝達する振動板とをさらに備え、壁面との接触面側に設けられた磁石は、振動板に直接面接触するように配置されている。このように構成すれば、磁石に壁面と垂直な方向の磁界を生じさせることができるので、超磁歪素子にバイアス磁界を与えることができる。これにより、音声情報であるパルス電流に対応した振動を、より正確に、超磁歪素子に起こさせることができるので、壁面からの音声の音質をより向上させることができる。また、磁石を固定部によって壁面の方向に押圧することにより、磁石を超磁歪素子により接近させることができるので、確実に、超磁歪素子にバイアス磁界を与えることができる。また、磁石を振動板に直接面接触させることにより、超磁歪素子の振動が磁石によって減衰することを抑制することができるので、壁面からの音声の音質を維持することができる。
【００１９】
上記一の局面による表示装置において、好ましくは、表示部を支持するとともに、壁面に固定される取付部と、取付部を壁面に固定する固定部材とをさらに備え、振動素子は、取付部の壁面との接触面に取り付けられており、かつ、取付部の上部は、固定部材により壁面と密着されるように固定されている。このように構成すれば、たとえば、アームを介して表示部を取付部により壁面に固定するような表示装置において、取付部の壁面との接触面に振動素子を取り付けることにより、スピーカのような音声発生装置を表示装置に取り付ける必要がなくなるので、表示装置の厚みを小さくすることができるとともに、表示装置の大きさを維持しつつ、表示部を大きくすることができる。また、取付部の上部を固定部材により壁面と密着させることによって、取付部の上部における壁面との接触面が、表示部の重みによって壁面から離れることを抑制することができるので、壁面からの音声の音質を維持することができる。
【００２０】
上記一の局面による表示装置において、好ましくは、表示部を壁面に固定する固定部材をさらに備え、振動素子は、表示部の壁面との接触面に取り付けられており、かつ、固定部材は、表示部と一体的に設けられている。このように構成すれば、たとえば、表示部の背面を壁面に固定するような表示装置において、表示部の壁面との接触面である背面に振動素子を取り付けることにより、確実に、表示部の背面を壁面に固定することができるので、壁面からの音声の音質を維持することができる。また、表示装置の正面部に、スピーカのような音声発生装置を取り付ける必要がなくなるので、表示装置の大きさを維持しつつ、表示部を大きくすることができる。
【００２１】
上記一の局面による表示装置において、好ましくは、振動素子の振動を壁面に伝達する振動板をさらに備え、振動素子の振動板は、壁面との接触面の一部として設けられている。このように構成すれば、振動素子の振動板が直接壁面に接することにより、振動素子の振動を、確実、かつ、強力に壁面に伝達させることができるので、壁面からの音声の音質をさらに向上させることができる。
【００２２】
上記一の局面による表示装置において、好ましくは、振動素子は、壁面との接触面において複数設けられている。このように構成すれば、振動素子の振動をそれぞれ異ならせることにより、ステレオ再生やマルチチャンネル再生などをすることができる。また、複数の振動素子の振動を同期させることにより、壁面に伝達される振動をより強力にすることができるので、壁面からの音声の音質をより一層向上させることができる。
【発明を実施するための最良の形態】
【００２３】
以下、本発明を具体化した実施形態を図面に基づいて説明する。
【００２４】
（第１実施形態）
図１は、本発明の第１実施形態による薄型テレビの全体斜視図である。図２は、図１に示した本発明の第１実施形態による薄型テレビの全体側面図である。図３〜図５は、図１および図２に示した本発明の第１実施形態による薄型テレビの詳細な構造を示した図である。図１〜図５を参照して、本発明の第１実施形態による薄型テレビ１００について説明する。なお、本発明の第１実施形態では、表示装置の一例である薄型テレビ１００に本発明を適用した場合について説明する。
【００２５】
本発明の第１実施形態による薄型テレビ１００は、図１に示すように、映像が表示される表示部１と、表示部１を支持し、後述する取付部３に固定される鉄製のアーム部２とを備える。この薄型テレビ１００は、壁面２００に固定されている。
【００２６】
ここで、第１実施形態では、薄型テレビ１００は、図１および図２に示すように、アーム部２を支持し、壁面２００と密着されるように固定される鉄製の取付部３と、取付部３の上部を壁面２００に密着させるように固定する鉄製の固定部材４と、取付部３と固定部材４とを固定するねじ５と、ねじ５に対応するナット６（図３参照）と、固定部材４と壁面２００とを固定するねじ７とを備える。具体的には、取付部３は、図３に示すように、取付部３の上部に設けられたねじ挿入穴３ａを含んでいる。また、固定部材４は、図３に示すように、ねじ挿入穴４ａと、ねじ挿入穴４ｂとを有している。そして、ねじ５が、固定部材４のねじ挿入穴４ａと、取付部３のねじ挿入穴３ａとに挿入されて、ナット６によって固定されることにより、取付部３の上部は固定部材４に固定される。また、ねじ７が、固定部材４のねじ挿入穴４ｂに挿入されて、壁面２００に固定されることにより、固定部材４は壁面２００に固定される。
【００２７】
また、第１実施形態では、取付部３は、図３〜図５に示すように、超磁歪素子３０と、コイル３１と、一対の磁石３２（３２ａ、３２ｂ）と、コイルバネからなる、超磁歪素子３０により発生した振動を減衰させるためのダンパー３３と、超磁歪素子３０により発生した振動を壁面２００に伝達する鉄製の振動板３４と、鉄製の固定部３５と、取付部３と壁面２００とを密着するように固定するねじ３６と、ねじ挿入穴３７と、表示部１（図１および図２参照）からの音声情報であるパルス電流をコイル３１に伝達するための配線３８とを含む。具体的には、図３に示すように、超磁歪素子３０と、コイル３１と、一対の磁石３２（３２ａ、３２ｂ）と、ダンパー３３と、振動板３４とにより、振動を発生させる装置である超磁歪素子アクチュエータ３００（図１および図２参照）が構成されている。また、図３に示すように、コイル３１は、壁面２００と平行に、かつ、超磁歪素子３０の周りを囲むように設けられているとともに、一対の磁石３２は、超磁歪素子３０を壁面２００と垂直な方向（Ｘ方向）に挟み込むように設けられている。また、図３に示すように、壁面２００との接触面３９側に設けられた一方の磁石３２ａは、振動板３４に直接面接触するように設けられているとともに、壁面２００との接触面３９側と反対側に設けられた他方の磁石３２ｂは、固定部３５によって、壁面２００の方向（Ｘ１方向）に押圧されるように設けられている。また、振動板３４は、図３および図５に示すように、取付部３の壁面２００に対する接触面３９の一部として設けられているとともに、取付部３の接触面３９から壁面２００の方向（Ｘ１方向）にわずかに突出して設けられている。また、固定部３５は、図３および図４に示すように、超磁歪素子アクチュエータ３００を収納するように設けられているとともに、固定部３５の端部３５ａは取付部３に接するように設けられている。この端部３５ａは、図３に示すように、ネジ部材３５ｂにより、取付部３に固定されている。これらの結果、超磁歪素子アクチュエータ３００は、壁面２００に押圧されるように固定されている。また、超磁歪素子アクチュエータ３００は、図１、図４および図５に示すように、壁面２００との接触面３９に４つ設けられている。また、取付部３は、図４および図５に示すように、ねじ３６が、取付部３のねじ挿入穴３７に挿入されて、壁面２００に固定されることにより、取付部３は、壁面２００に密着するように固定されている。なお、超磁歪素子３０は、本発明の「振動素子」の一例である。
【００２８】
次に、図３を参照して、本発明の第１実施形態による薄型テレビ１００の音声発生動作を説明する。
【００２９】
まず、表示部１（図１および図２参照）から音声情報であるパルス電流が出力される。このパルス電流は配線３８を介して、コイル３１に入力される。コイル３１に電流が流れると、コイル３１内に磁界が発生する。この磁界は、コイル３１が壁面２００と平行に設けられていることにより、壁面２００に垂直な方向（Ｘ方向）に発生する。コイル３１によって発生した磁界は、一対の磁石３２（３２ａ、３２ｂ）によってすでに壁面２００に垂直な方向（Ｘ方向）に加えられているバイアス磁界と合わさって、超磁歪素子３０を変位させる。ここで、パルス電流がコイル３１に入力されることにより、パルス電流によるコイル３１の磁界の変化に応じて、超磁歪素子３０の変位を変化させることができるので、超磁歪素子３０に振動を発生させることができる。この振動は、壁面２００との接触面３９側に設けられた一方の磁石３２ａに伝達され、磁石３２ａと直接面接触している振動板３４に伝達される。そして、振動板３４に伝達された振動は、振動板３４から直接壁面２００に伝達されることにより、壁面２００から音声が発生する。また、発生した振動は、ダンパー３３が振動を吸収することにより減衰される。
【００３０】
第１実施形態では、上記のように、固定部３５により壁面２００との接触面３９に、超磁歪素子３０を磁石３２ａと振動板３４とを介して押圧された状態で固定することによって、超磁歪素子３０を確実に壁面２００に固定することができる。これにより、表示部１およびアーム部２の重量を利用することなく、超磁歪素子３０の振動を実質的に壁面２００にのみ伝達し、広い面積を有する壁面２００を効果的に振動させることができるので、壁面２００からの音声の音質を向上させることができる。
【００３１】
また、第１実施形態では、上記のように、固定部３５により壁面２００との接触面３９に、超磁歪素子３０を磁石３２ａと振動板３４とを介して押圧された状態で固定することによって、カウンタマスやミラー板などを別途設ける必要がないので、部品点数の増加を抑制することができるとともに、薄型テレビ１００の大型化および薄型テレビ１００の厚みの増大を抑制することができる。
【００３２】
また、第１実施形態では、上記のように、壁面２００との接触面３９側に設けられた一方の磁石３２ａを、振動板３４に直接面接触するように設けるとともに、壁面２００との接触面３９側と反対側に設けられた一方の磁石３２ｂを、固定部３５によって、壁面２００の方向（Ｘ１方向）に押圧する。このように構成することによって、磁石３２に壁面２００と垂直な方向（Ｘ方向）の磁界を生じさせることにより、超磁歪素子３０にバイアス磁界を与えることができる。これにより、音声情報であるパルス電流に対応した振動を、より正確に、超磁歪素子３０に起こさせることができるので、壁面２００からの音声の音質をより向上させることができる。また、磁石３２を固定部３５によって壁面２００の方向（Ｘ１方向）に押圧することにより、磁石３２を超磁歪素子３０により接近させることができるので、確実に、超磁歪素子３０にバイアス磁界を与えることができる。また、磁石３２ａを振動板３４に直接面接触させることにより、超磁歪素子３０の振動が磁石３２ａによって減衰することを抑制することができる。
【００３３】
また、第１実施形態では、上記のように、取付部３の壁面２００との接触面３９に超磁歪素子アクチュエータ３００を取り付けることによって、スピーカのような音声発生装置を表示部１に取り付ける必要がなくなるので、薄型テレビ１００の厚みを小さくすることができるとともに、薄型テレビ１００の大きさを維持しつつ、表示部１を大きくすることができる。
【００３４】
また、第１実施形態では、上記のように、取付部３の上部を固定部材４に固定するとともに、固定部材４を壁面２００に固定することによって、取付部３の上部が壁面２００と密着するように固定されるので、取付部３の上部における壁面２００との接触面３９が、表示部１の重みによって壁面２００から離れることを抑制することができる。
【００３５】
また、第１実施形態では、上記のように、振動板３４を、取付部３の壁面２００に対する接触面３９の一部として設けるとともに、取付部３の接触面３９から壁面２００の方向（Ｘ１方向）にわずかに突出して設ける。このように構成することによって、振動板３４が直接壁面２００に接することにより、超磁歪素子３０の振動が、確実、かつ、強力に壁面２００に伝達するので、壁面２００からの音声の音質をより向上させることができるとともに、壁面２００がコンクリートなどの硬い壁面２００であったとしても、超磁歪素子３０の振動を壁面２００に伝達させ、音声を発することができる。
【００３６】
また、第１実施形態では、上記のように、超磁歪素子アクチュエータ３００を、壁面２００との接触面３９に４つ設けることによって、超磁歪素子アクチュエータ３００の振動をそれぞれ異ならせることにより、ステレオ再生やマルチチャンネル再生などをすることができる。また、４つの超磁歪素子アクチュエータ３００の振動を同期させることにより、壁面２００に伝達される振動を、より強力にすることができる。
【００３７】
（第２実施形態）
図６は、本発明の第２実施形態による薄型テレビの全体斜視図である。図７は、図６に示した本発明の第２実施形態による薄型テレビの全体側面図である。図８〜図１０は、図６および図７に示した本発明の第２実施形態による薄型テレビの詳細な構造を示した図である。図６〜図１０を参照して、この第２実施形態では、上記第１実施形態と異なり、薄型テレビ７００は、表示部４００を壁面２００に固定する固定部材４００ｂを備え、超磁歪素子アクチュエータ３００は、表示部４００の壁面２００との接触面である背面部４００ａに取り付けられており、かつ、固定部材４００ｂは、表示部４００の背面部４００ａと一体的に設けられている例について説明する。
【００３８】
本発明の第２実施形態による薄型テレビ７００は、図６に示すように、表示部４００と、表示部４００に映像を表示させるための電気基盤などを収納する筐体４０１（図８参照）とを備える。この薄型テレビ７００は、壁面２００に固定されている。
【００３９】
ここで、第２実施形態では、薄型テレビ７００は、図６に示すように、後述する固定部材４００ｂと壁面２００とを固定するねじ４０２を備える。
【００４０】
また、第２実施形態では、表示部４００は、図６〜図８に示すように、超磁歪素子アクチュエータ３００が設けられる鉄製の背面部４００ａと、表示部４００の背面部４００ａと一体的に設けられた鉄製の固定部材４００ｂとを有する。具体的には、固定部材４００ｂには、図８に示すように、ねじ挿入穴４００ｃが設けられており、ねじ４０２が、固定部材４００ｂのねじ挿入穴４００ｃに挿入されて、壁面２００に固定されることにより、固定部材４００ｂは壁面２００に固定される。この結果、表示部４００の背面部４００ａは壁面部２００に固定される。
【００４１】
また、第２実施形態では、超磁歪素子アクチュエータ３００は、図９および図１０に示すように、壁面２００との接触面である表示部４００の背面部４００ａに９つ設けられている。
【００４２】
第２実施形態では、上記のように、固定部材４００ｂを表示部４００の背面部４００ａと一体的に設けるとともに、固定部材４００ｂを壁面２００に固定することによって、確実に、表示部４００の背面部４００ａを壁面２００に固定することができるので、音質の悪化を抑制することができる。
【００４３】
また、第２実施形態では、上記のように、表示部４００の背面部４００ａに超磁歪素子アクチュエータ３００を取り付けることによって、表示部４００の正面部に、スピーカのような音声発生装置を取り付ける必要がなくなるので、薄型テレビ７００の大きさを維持しつつ、表示部４００を大きくすることができる。
【００４４】
また、第２実施形態では、上記のように、超磁歪素子アクチュエータ３００を、壁面２００との接触面である表示部４００の背面部４００ａに９つ設けることによって、第１実施形態よりも、振動をより強力にすることができるので、壁面２００からの音声の音質を一段と向上させることができるとともに、壁面２００がコンクリートなどの硬い壁面２００であったとしても、振動を壁面２００にさらに強く伝達させ、音声を発することができる。
【００４５】
なお、第２実施形態のその他の構成および効果は、上記第１実施形態と基本的に同様である。また、第２実施形態における薄型テレビ７００の音声発生動作は、上記第１実施形態と同様である。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記第１および第２実施形態では、本発明の表示装置の一例として薄型テレビ１００および７００を示したが、本発明はこれに限らず、モニタなど薄型テレビ以外の表示装置にも適用可能である。
【００４８】
また、上記第１実施形態では、超磁歪素子アクチュエータ３００を４つ設けた場合を、上記第２実施形態では、超磁歪素子アクチュエータ３００を９つ設けた場合をそれぞれ示したが、本発明はこれらに限らず、超磁歪素子アクチュエータ３００はいくつ設けてもよい。
【００４９】
また、上記第１および第２実施形態では、振動板３４を、壁面２００に対する接触面３９および４００ａの一部として設けるとともに、接触面３９および４００ａから壁面２００の方向（Ｘ１方向）にわずかに突出して設けた場合を示したが、本発明はこれらに限らず、振動板３４が直接壁面２００に接していれば、振動板３４を接触面３９および４００ａから壁面２００の方向（Ｘ１方向）にわずかに突出するように設けなくてもよい。また、超磁歪素子３０の振動が壁面２００に伝達されるならば、振動板３４を直接的に壁面２００に接触させなくてもよい。
【００５０】
また、上記第１および第２実施形態では、ダンパー３３がコイルバネである場合を示したが、本発明はこれらに限らず、振動を減衰させるものであれば、ダンパーの構造や素材は限定されない。たとえば、ダンパーがゴム部材であってもよい。
【００５１】
また、上記第１実施形態では、アーム部２、取付部３、固定部材４、振動板３４および固定部３５を、上記第２実施形態では、背面部４００ａおよび固定部材４００ｂをそれぞれ鉄製であるように設けたが、本発明はこれらに限らず、それぞれの耐久性などに見合う素材であれば、鉄製に限定されない。
【００５２】
また、上記第１および第２実施形態では、超磁歪素子３０に対して壁面２００に垂直な方向（Ｘ方向）にバイアス磁界を加えるために、一対の磁石３２を用いる場合を示したが、本発明はこれらに限らず、１つまたは３つ以上の磁石を用いてもよい。
【００５３】
また、上記第２実施形態では、固定部材４００ｂを、表示部４００と一体的に設けた場合を示したが、本発明はこれに限らず、固定部材４００ｂを表示部４００と一体的に設けずに、別途固定部材４００ｂを設けて、表示部４００に固定するようにしてもよい。
【００５４】
また、上記第１実施形態では、アーム部２を介して取付部３を壁面２００に固定する薄型テレビ１００を、上記第２実施形態では、背面部４００ａを壁面２００に固定する薄型テレビ７００をそれぞれ示したが、本発明はこれらに限らず、超磁歪素子３０の振動が壁面２００に伝達されて、壁面２００から音声が発生すれば、薄型テレビ１００および７００をどのように壁面２００に固定してもよい。
【００５５】
また、上記第１および第２実施形態では、振動素子として超磁歪素子３０を用いる場合を示したが、本発明はこれに限らず、電気を加えることにより振動を生じさせる振動素子であればよく、たとえば、圧電素子や磁歪振動子でもよい。
【図面の簡単な説明】
【００５６】
【図１】本発明の第１実施形態による薄型テレビの全体斜視図である。
【図２】本発明の第１実施形態による薄型テレビの全体側面図である。
【図３】本発明の第１実施形態による図１、図４および図５における５００−５００線に沿ったアーム部と取付部との断面図である。
【図４】本発明の第１実施形態による壁面方向であるＸ１方向（図３参照）から見た、取付部と固定部との正面図である。
【図５】本発明の第１実施形態による取付部と固定部材との背面図である。
【図６】本発明の第２実施形態による薄型テレビの全体斜視図である。
【図７】本発明の第２実施形態による薄型テレビの全体側面図である。
【図８】本発明の第２実施形態による図６、図９および図１０における６００−６００線に沿った薄型テレビの断面図である。
【図９】本発明の第２実施形態による壁面方向であるＸ１方向（図８参照）から見た、固定部と背面部との正面図である。
【図１０】本発明の第２実施形態による薄型テレビの背面図である。
【符号の説明】
【００５７】
１、４００        表示部
３                取付部
４、４００ｂ      固定部材
３０              超磁歪素子（振動素子）
３２              磁石
３４              振動板
３５              固定部
３９              接触面
１００、７００    薄型テレビ（表示装置）
【図１】
2009164822.tif 000003
【図２】
2009164822.tif 000004
【図３】
2009164822.tif 000005
【図４】
2009164822.tif 000006
【図５】
2009164822.tif 000007
【図６】
2009164822.tif 000008
【図７】
2009164822.tif 000009
【図８】
2009164822.tif 000010
【図９】
2009164822.tif 000011
【図１０】
2009164822.tif 000012